(57)【特許請求の範囲】
【請求項１】
所定量の粒状芳香剤を順次供与できるよう収容する収容部と、この収容部から供与された粒状芳香剤を受けて保持しつつ連続的または継続的に移動させて一部の粒状芳香剤を順次新規粒状芳香剤と入れ換えする入換機構と、この入換機構にて入れ換えられ排出される粒状芳香剤を回収する回収部と、前記収容部と入換機構と回収部を一体的に構成する枠体とからなり、入換機構はスクリューコンベアと、このスクリューコンベアを回転駆動する回転駆動部で構成するとともに収容部からの粒状芳香剤をスクリューコンベアの一端部で受け入れ他端部で回収部側に排出するように構成され、かつ気流を受け得るように構成されていることを特徴とする放香装置。
【請求項２】
スクリューコンベアの軸芯方向からみてスクリューコンベアの回転軸の周囲に位置する枠体の少なくとも左右両側面は、気流が通過できる開口部が設けられていることを特徴とする請求項１記載の放香装置。
【請求項３】
スクリューコンベアの軸芯方向からみてスクリューコンベアの回転軸の周囲に位置する枠体の少なくとも左右両側面の開口部には、通気性を有する網が付設されていることを特徴とする請求項２記載の放香装置。
【請求項４】
所定量の粒状芳香剤を順次供与できるよう収容する収容部と、この収容部から供与された粒状芳香剤を受けて保持しつつ連続的または継続的に移動させて一部の粒状芳香剤を順次新規粒状芳香剤と入れ換えする入換機構と、この入換機構にて入れ換えられ排出される粒状芳香剤を回収する回収部とを備え、入換機構はスクリューコンベアとこのスクリューコンベアを回転駆動する回転駆動部で構成するとともに収容部からの粒状芳香剤をスクリューコンベアの一端部で受け入れ他端部で回収部側に排出するように構成され、かつ気流を受け得るように構成される放香機構を備えた空気調和装置。
【請求項５】
所定量の粒状芳香剤を順次供与できるよう収容する収容部と、この収容部から供与された粒状芳香剤を受けて保持しつつ連続的または継続的に移動させて一部の粒状芳香剤を順次新規粒状芳香剤と入れ換えする入換機構と、この入換機構にて入れ換えられ排出される粒状芳香剤を回収する回収部と、前記収容部と入換機構と回収部を一体的に構成する枠体とからなり、入換機構はスクリューコンベアと、このスクリューコンベアの回転軸を回転駆動する回転駆動部で構成するとともに収容部からの粒状芳香剤をスクリューコンベアの一端部で受け入れ他端部で回収部側に排出するように構成された放香装置を、気流域に対して着脱可能に付設する付設機構を設け、この付設機構にて放香装置が設置されることを特徴とする空気調和装置。
【請求項６】
所定量の粒状芳香剤を順次供与できるよう収容する収容部と、この収容部から供与された粒状芳香剤を受けて保持しつつ連続的または継続的に移動させて一部の粒状芳香剤を順次新規粒状芳香剤と入れ換えする入換機構と、この入換機構にて入れ換えられ排出される粒状芳香剤を回収する回収部と、前記収容部と入換機構と回収部を一体的に構成する枠体とからなり、入換機構はスクリューコンベアと、このスクリューコンベアを回転駆動する回転駆動部で構成するとともに収容部からの粒状芳香剤をスクリューコンベアの一端部で受け入れ他端部で回収部側に排出するように構成された放香装置を、気流域に対して挿脱可能に構成した挿設部を設け、この挿設部に放香装置が挿設されたことを特徴とする空気調和装置。
【発明の詳細な説明】
【技術分野】
【０００１】
本発明は放香装置に関するものである。部屋等の芳香濃度を調整でき、しかも芳香が過剰にならないようにして常に適正な芳香状況を呈する放香装置に関するものである。
【背景技術】
【０００２】
事務所や企業の職場における部屋では特に夏期や冬期は空調装置（エアコン）の作動による窓の閉じた人工的な空間に居住し、仕事、生活を行っている。このような空間はどちらかと言えば無味乾燥した空間であり、健康的には好ましくない。このような空間に素晴らしい香りが提供されれば最適な環境の中での生活となり、仕事の能率も上がり、生活もより充実することになる。
【０００３】
すなわち良い匂いや芳香によって人間関係もよくなり仕事や生活が能率良くなる。このようなことはこの分野における研究にても明らかになっている。とりわけ、家庭における一家団欒の場である居間や病院の診察室や病室、さらには養老院老人センター、介護施設、療養センター、食堂、料亭、レストラン等静かな室内で生活を営んでいる方々の居室においては、きれいな空気とともに心休まる快い匂いが漂う室空間が必要である。
そのような社会的ニーズが広まりつつある中で、最近アロマセラピー療法が注目を集めつつある。これは現代のストレス社会が人間の精神面に過剰なストレスを蓄積することによる弊害をなくするための取り組みの中で生まれたものである。
【０００４】
したがって、現在では空調装置における送風気流域の中に芳香剤を介在させ、風の中に香りをのせて放出させ、芳香を行う方式が採用されている（特許文献１、特許文献２、特許文献３および特許文献４参照）。この芳香剤については、液状芳香剤や棒（塊）状の芳香剤の外に粒状芳香剤が提供されてきている。この粒状芳香剤は、珪酸カルシウム材に精油を吸着させたもので、その容量と同量の香料を吸着させる能力を有している。大きさは直径４ｍｍ程度で、容器等への収容など取扱いがよく、かつ必要量の計量もよく今後香気源として注目されてきている。現状ではこれら粒状芳香剤も所定容積の容器等に収容、充填して香気を放つようにした形で使用されている。
【特許文献１】実開平７−３５９１３号公報
【特許文献２】特開２００４−３２１７８９号公報
【特許文献３】実開平７−９６１２号公報
【特許文献４】特開平６−３４３６８１号公報
【発明の開示】
【発明が解決しようとする課題】
【０００５】
これら従来における放香装置は、棒状または粒状芳香剤を、通気性を有する容器かまたは送風の可能な容器に収納させ、芳香剤の有する香りを風にのせて放香させるものである。具体的には所定量の粒状芳香剤を収容した芳香剤容器をエアコンの気流域あるいは送風域に設置する方式である。たとえばルーバの先端部位に放香装置を設置する方式、あるいは自動車におけるエアコンの風出口に芳香容器を設置する等して使用している。これらの使用では、芳香剤は長時間使用されたとき放香濃度は低下し機能しなくなる。この場合は放香装置の芳香剤収容器へ新たな芳香剤を充填し直さなければならない。このような作業は煩雑で手数を要し、特にエアコンの設置場所によってはかなりの大きな作業になるとともに、エアコンの作動を停止させることも必要で空調が停止することになる。
【０００６】
本発明はこのような問題を解決する放香装置ならびに空気調和装置を提供するものである。本願発明者は芳香剤が粒状であり、転動自在であることから受面を移動しやすく、あるいは受入部に対する投入、取り出し、排出が円滑かつ容易に行い得る点に着目し、気流域に粒状芳香剤を転動（移動）させつつ放香させる方式を発明した。
【課題を解決するための手段】
【０００７】
本発明が提供する放香装置ならびに空気調和装置は、上記課題を解決するために、所定量の粒状芳香剤を順次供与できるよう収容する収容部と、この収容部から供与された粒状芳香剤を受けて保持しつつ連続的または継続的に移動させて一部の粒状芳香剤を順次新規粒状芳香剤と入れ換えする入換機構と、この入換機構にて入れ換えられ排出される粒状芳香剤を回収する回収部とを備え、これら収容部と入換機構と回収部からなる放香機構を気流域に近接配設することによって放香することができるようにしたものである。
【０００８】
特に入換機構はスクリューコンベアと、このスクリューコンベアの回転軸を回転駆動する回転駆動部で構成するとともに収容部からの粒状芳香剤をスクリューコンベアの一端部で受け入れ他端部で回収部側に排出するように構成され、かつ気流を受け得るように構成されたものである。ここで気流域とは気体が流れる領域を指し、送風域や吸気域なども含まれる。室内空気の温度調節や浄化を行う空気調和装置における空気取入口や空気吹出口すなわち気流域に配設される。したがって、気流域で芳香剤が連続的または断続的に移動するので新鮮な芳香剤が風にさらされ常に新鮮な香りが提供されることになる。
【発明の効果】
【０００９】
本発明が提供する放香装置ならびに空気調和装置によれば、粒状芳香剤を使用するので取り扱いが良く、特に転動性がよく芳香剤の入れ換えが円滑かつ迅速に行われる。そのために、発生する芳香は常に新鮮で空調効果を向上することができる。
さらに本発明が提供する放香装置は、空気調和装置に容易に着脱あるいは挿脱でき、また既設の空気調和装置に容易に架設することもできる。また、粒状芳香剤が不足になったときは充足を容易にできる利点を有する。しかも空気調和装置を止めることなく使用でき空調に支障をきたすこともない。
さらに本発明が提供する放香機構を備えた空気調和装置は、放香装置ないし放香のための必要とする機構の要素を装備したものであり、空調機能を向上できる。
さらに本発明が提供する空気調和装置は放香を空気調和装置内に流動させるよう構成したものであり、空気調和装置の内方を浄化させることもできる。
【発明を実施するための最良の形態】
【００１０】
本願発明は、新鮮な芳香剤を連続的または継続的に順次通気域に提供する放香装置である。粒状芳香剤を使用する所定量の粒状芳香剤を収容部から順次芳香剤の入換機構に供与し最終的に回収部に回収する。入換機構は気流を受け得るように構成されており気流域に配設される。最良の形態としては、気流が粒状芳香剤に効果的に触れるよう入換機構の両側には気流を妨げないために空間が形成されるか、あるいは通気性を有する材料たとえば網などが付設される。
【００１１】
収容部と入換機構と回収部は、放香装置を単体として構成する場合は杆材の枠体にて一体化される。単体として構成されないで、放香機構として機能する構成も本願発明の一実施態様である。なおこの入換機構としてはスクリューコンベア機構方式が採用される。本願発明では、放香装置は既設の空気調和装置に対し付設機構にてその空気吹出口に近接配置され、放香機構の場合は、空気調和装置内にて構成される。これらいずれの場合にも放香装置、放香機構は気流域に設置される。
【００１２】
入換機構は気流を受け得るように構成されていて、熱交換機にて交換された気体を送出する送風口から吹き出させるまでの気流域に設置される。しかも入換機構はスクリューコンベア機構方式が採用され、粒状芳香剤の移動を円滑にする。最良の形態は、収容部と回収部が放香装置として、空気調和装置に対して、出入自在な構成となっている。なお、入換機構は空気調和装置内に固定される。
【００１３】
さらにこの発明は、放香装置を空気調和装置に挿脱可能にする挿設部を有する。放香装置は放香機構を枠体で一体化したもので、この一体化の放香装置を挿設できる挿設部が設けられる。この挿設部は放香装置の入換機構が気流域に配置されることが最良の形態である。あるいは放香装置を吸気口近傍あるいは気流域に付設配置される。
以下、本願が特許請求の範囲で特定した発明についてのそれぞれの実施例に従い、その構成と作動を説明する。
【実施例１】
【００１４】
本願が提供する第１の発明（実施例１）は放香装置である。この放香装置ＨＤは図１、図２に示すとおりで、粒状芳香剤Ｋの収容部とこの粒状芳香剤Ｋを順次移動させて新規なものと入れ換えする入換機構ＦＭとこの入換機構ＦＭから排出される粒状芳香剤を回収する回収部９と、これらを一体的に構成する枠体からなるものであるが、以下入換機構ＦＭの実施例を説明する。
【００１５】
この入換機構ＦＭは本発明の基本的な主要部であって、その方式は、スクリューコンベア方式の機構を採用して粒状芳香剤を順次移動させる方式のもので、図１にその縦断面が示されている。  図１は枠体１によって一体化された筐体の形の放香装置ＨＤが縦断面して示され、中央部にスクリューコンベア４が配設されている。スクリューコンベア４はその中心を貫く回転軸３が左方のパルスモータ２の出力軸に連結され、回転駆動される。
【００１６】
このスクリューコンベア４は全体としては円筒状をなし、底部には図２に示すとおり断面円弧状の底板５が設置されている。この底板５の上面に粒状芳香剤Ｋが乗せられた状態となり、スクリューコンベア４の回転により、左方の収容部７から順次右方へ移動される。そして右方終端の排出部８より粒状芳香剤Ｋは順次落下し、傾斜板１１を転動して回収部９に収められる。回収された粒状芳香剤Ｋは下方位にある蓋１Ｆを開くことにより排出できる。
【００１７】
枠体１は筐体を形成するよういくつかの部材にて組み立てられるが、内方の枠体１Ｓはスクリューコンベア４とパルスモータ２の保持台を連結するとともに、粒状芳香剤Ｋの収容部７を形成する底板も兼ねている。１６はスクリューコンベア４の上方部に配設された傾斜板で、補給口１Ａからの粒状芳香剤Ｋを収容部７に案内するが、収容部７の一部を形成する部材でもある。１Ｆは補給口１Ａを開閉する蓋である。なお、１４は軸受であり、１５はスクリューコンベア４の上部と両即部を包囲する包囲網である。
【００１８】
放香装置ＨＤは全体として筐体をなし、左方部上方に収容部７そして同じく左方部下方に回収部９が配設し、中央部に粒状芳香剤Ｋを移動して新しい芳香剤の入れ換えを行う入換機構ＦＭを設置した構成であるが、この筐体の中央部両側面、すなわちスクリューコンベア４の軸芯方向から見てスクリューコンベア４の回転軸３に対して両側の面が開口されており、この開口面に網１０が張設されている。これはこの放香装置ＨＤを気流域に配置したとき、気流が内方の粒状芳香剤Ｋに触れ、放香を生起させるためである。しかもさらに、スクリューコンベア４を囲む両側面も図示のとおり網１０が張られていて、通気できるよう構成されている。もちろんこの網１０を必ず張設することを条件とするものではない。
【００１９】
スクリューコンベア４の下方位にある底板５はできれば金属板で形成され、粒状芳香剤Ｋが円滑に移動できることを保障するように考慮されるのが望ましい。図２は特にスクリューコンベア４の部位を断面して示す図で、底板５はたとえば金属板で構成され、粒状芳香剤Ｋの移動における抵抗を極力低減させるよう工夫されている。樹脂材を使用し抵抗をより小さくすることもできる。なお、１Ｂは枠体を示している。
【００２０】
他方パルスモータ２は、図示していない電気エネルギー供給系に接続されていて、電気エネルギーにより回転駆動される。１２はその回転速度を制御する制御器で、筐体から突設されている調整器１３にて調整され、所望の回転速度が設定できるようになっている。この筐体を斜視的に示すと図３に示すとおりで、正面板１Ｋには調整器１３の外に把手１Ｔと芳香剤の残量状況を指示する表示器Ｓ１〜Ｓ３が設置されている。表示器Ｓ１の点灯は芳香剤が収容部７に充足されている状況を示し、表示器Ｓ２の点灯は収容部７に補給を必要とする時期にあることを示し、表示器Ｓ３の点灯は収容部７に芳香剤がないことを示す。この粒状芳香剤Ｋの有無の検出は図示していないセンサに行われる。
【００２１】
このスクリューコンベア４を粒状芳香剤Ｋの移動に使用するこの方式は、スクリューコンベア４の極めてゆっくりとした回転によって粒状芳香剤Ｋに微小な変動（動き）を与えることになり、気流が粒状芳香剤Ｋの新たな面に常に触れ、常に新たな芳香を放つという特徴を有する。またスクリューコンベア４の回転速度を自在に変え、あるいは前進回転１０回、後進回転５回を繰り返す正逆回転形で、粒状芳香剤Ｋに変動をもたせあらゆる粒状芳香剤Ｋの面に気流を触れさせることによって新規な芳香剤との入れ換え頻度を自在に設定できる点も大きな特徴である。スクリューを多孔質で構成してもよい。
【実施例２】
【００２２】
本願が提供する第２の発明（実施例２）は、本願が提供する第１の発明する発明の放香装置ＨＤにおける芳香機構を内設した空気調和装置ＡＣ(請求項４に該当する発明)である。この芳香機構は所定量の粒状芳香剤を順次供与できるよう収容する収容部と、この収容部から供与された粒状芳香剤を受けて保持しつつ連続的または継続的に移動させて一部の粒状芳香剤を順次新規粒状芳香剤と入れ換えする入換機構と、この入換機構にて入れ換えられ排出される粒状芳香剤を回収する回収部とを備え、入換機構はスクリューコンベアとこのスクリューコンベアを回転駆動する回転駆動部で構成するとともに収容部からの粒状芳香剤をスクリューコンベアの一端部で受け入れ他端部で回収部側に排出するように構成され、かつ気流を受け得るように構成される放香機構を内方に備えた空気調和装置ＡＣである。
【実施例３】
【００２３】
本発明が第３に提供する発明（実施例３）は、上述した放香装置ＨＤを既設の空気調和装置ＡＣに対して効果的に適用される。すなわち、上述した放香装置ＨＤを気流域に設置されることで、その気流域ならびにその下流域の室内や広場に放香することができる。また各家庭や病院あるいは施設等に設置されている既存の空気調和装置（エアコン）に架設具を介して架設し、放香を良好ならしめることができる。
【００２４】
すなわち図５は家庭等に既設された空気調和装置ＡＣに架設のための金具２３を取り付け放香装置ＨＤを架設した状態を示している。放香装置ＨＤは、気流域すなわち送風域内に位置するよう具体的には空気調和装置ＡＣのルーバ３１の前方に配設されるようにする。したがって、放香装置ＨＤの開口部１Ｗに張設された網１０の部位より放香が行われる。図６は事務室や比較的広い部屋に利用される天井吊設形の空気調和装置ＡＣに放香装置ＨＤを架設した例を示している。２５が架設用の金具で、放香装置ＨＤは送風域に配設される。２４は空気調和装置ＡＣを架設するための機台である。
【実施例４】
【００２５】
第４に提供する発明（実施例４）は、図７に示すとおりで、図３から図４に示す筐体形の放香装置ＨＤをそのままの状態で挿脱可能に取り付ける形式の空気調和装置である。図７に示すとおり空気調和装置ＡＣの左側方に放香装置ＨＤ（図３）を挿入、取り出し可能な挿設部３８（凹部）が形成されている。この挿設部３８は空気調和装置ＡＣの長手方向に沿って長く、すなわち放香装置ＨＤが挿入できるに充分な奥行き長さを有し、断面積も放香装置ＨＤの断面以上に設定されている。
【００２６】
しかもこの挿設部３８の内方における空間の周囲は気流域に位置している。さらには図３、図４には示していないが、内設されているパルスモータ２（図１）を回転駆動するための電力エネルギーを供給するための電源との接続部（図示せず）が筐体の右方端、すなわち正面板１Ｋと反対側の端部に突設されている。この放香装置ＨＤの挿設に電源端子と自動的に接続されるようになっている。図８は放香装置ＨＤが挿設された状態を示している。ＧＫは吸気口である。
【００２７】
さらに図９は吊設形空気調和装置ＡＣに本発明を実施した例を示し、挿設部３９に放香装置ＨＤを挿入した状態を示している。また図１０は放香装置ＨＤを送風域ではなく吸気口ＧＫの近傍に挿設する形式の空気調和装置ＡＣの例を示している。この形式では吸気の段階で放香が行われ、その芳香気が熱交換されて最終的に放出されることになる。４０が挿設部を示している。
【実施例５】
【００２８】
第５に提供する発明（実施例５）は、空気調和装置の内方を開いて、その内部に放香装置を着脱自在に設置できるようにした空気調和装置の例である。なお、この放香装置は上述したとおり、図１に示すスクリュウコンベア方式の入換機構が内装される。前記第４の発明に示す実施例のように外周部に挿設用の凹部を設置する方式と異なり、空気調和装置ＡＣのカバーなり前面板なりを外してあるいは開成して、筐体形の放香装置ＨＤを容易に取り付けることができるようにしたものである。図１１はその具体的な例で空気調和装置ＡＣの前面カバー４１を半開きにした状態を示す図で、４２は放香装置（たとえば図４）を架設する架設枠を示している。なお、４３は電源コードＥＷ（図４）を接続するコンセントであり、また２４は機台を示している。
図１２は放香装置ＨＤを吸気口ＧＫの部位に着脱自在に設置できるよう架設枠４４を取り付けた例を示している。
【００２９】
以上、本願発明が提供する第１の発明から第５の発明までについて、各実施例を提示し詳細に説明してきたが、本発明はこれら各実施例の構成に限定されるものではない。すなわち、第１の発明から第５の発明における共通の技術は、粒状芳香剤の収容部を上方に、そして回収部を下方に配設すること、およびこの収容部と回収部の中間部に収容部から供与された粒状芳香剤を連続的または断続的に順次回収部側へ移動させる入換機構をスクリューコンベア方式で行わせること、この２点を有機的に結合させた点にある。
【００３０】
粒状芳香剤を古いものから新しいものに入れ換える粒状芳香剤の入換機構をスクリューコンベア方式で構成し、かつこの入換機構を気流域に配設することによって常に新鮮な香りを生起させるようにしたものである。本願発明は、上記技術の特徴を有するものであり、これを生かす実施例全てを含むものである。したがって上述したとおり図示実施例は一例を示すに過ぎずこれら実施例の構成、形状に限定されるものではない。
【００３１】
たとえば上述の入換機構については、螺施管（らせん状パイプ）を有し、この螺施管に粒状芳香剤を少量ずつ順次供給しつつ軸芯を中心に低速で回転させ、粒状芳香剤を順次左方から右方へ水平移動させていく方式なども実施可能である。この場合、螺施管は網などの通気性材料で形成され、気流域に配設されたとき気流に曝されて放香されるよう構成されるのが当然である。このように本願発明における「入換機構」の技術範囲は図示例に限定されることなく解釈される。
【００３２】
本発明における変形実施例について、もう１つの重要な点は粒状芳香剤の形状である。実施例では球状の芳香剤を図示して説明してきた。特に球形は転動も良好で効果的であり、入換作動が円滑に行われる利点がある。しかし、本発明は球形の芳香剤に限定されるものではなく、たとえば楕円形状の芳香剤や直径２ｍｍで長さ４ｍｍの小形円筒体状のものすなわち球体に近似の形状の芳香剤でも本発明は含まれる。
【００３３】
本発明が「粒状」と表現してきたのは上記の事情によるものであり、球体と近似の形のものや、球体と実質的に同様に転動できる芳香剤いわゆるバラ状のものは本発明が特定する「粒状芳香剤」に含まれるものと解釈される。また、粒状芳香剤の径が４ｍｍの例を挙げて説明したが、この４ｍｍの粒状芳香剤に限定されるものではない。１〜１０ｍｍ程度の各種の粒状芳香剤を使用できる。また、この粒状芳香剤の機材について、上記はケイ酸カルシウムを使用する例について説明したが、この剤利用以外の材料による粒状芳香剤もあり、それらを使用することも本発明に含まれる。
【００３４】
粒状芳香剤の製造方法や材質についても詳細な説明で述べてきた製法、材質に限定されない。より具体的な事項として、図示例では入換機構の主体をなす粒状芳香剤を保持する保持機構の回転駆動をパルスモータで行う例を示しているが、パルスモータのみに限定されるものではなく種々の回転駆動源を採用できることは言うまでもない。
さらに本発明が提供する「空気調和装置」には図示例以外のエアコンたとえば自動車に設置されたカーエアコン、カークーラなども含まれる。このカーエアコンの場合、乗客が芳香を求めた場合有益である。
【図面の簡単な説明】
【００３５】
【図１】本願発明における第１の発明の放香装置の構成を示す図である。
【図２】本願発明における第１の発明の放香装置の断面を示す図である。
【図３】本願発明における放香装置の外観を斜視的に示す図である。
【図４】本願発明における放香装置の変形例の外観を斜視的に示す図である。
【図５】本願発明における空気調和装置についての構成を示す図である。
【図６】本願発明における他の空気調和装置についての構成を示す図である。
【図７】本願発明における空気調和装置についての実施例を示す図である。
【図８】本願発明における空気調和装置についての実施例の外観を示す図である。
【図９】本願発明における空気調和装置についての実施例の外観を示す図である。
【図１０】本願発明における空気調和装置についての実施例の外観を示す図である。
【図１１】本願発明における空気調和装置についての実施例を示す図である。
【図１２】本願発明における空気調和装置についての実施例を示す図である。
【符号の説明】
【００３６】
１  枠体
１Ａ  補給口
１Ｂ  枠体
１Ｆ  蓋
１Ｈ  枠体
１Ｋ  正面板−
１Ｓ  枠体
１Ｔ  把手
１Ｕ  枠体
１Ｗ  開口部
２  パルスモータ
３  回転軸
４  スクリューコンベア
５  底板
７  収容部
８  排出部
９  回収部
１０  網
１１  傾斜板
１２  制御器
１３  調整器
１４  軸受
１５  包囲網
１６  傾斜板
２１  枠体
２２  上板
２３  金具
２５  金具
２６  熱交換器
２７  ファン
３１  ルーバ
３８  挿設部
３９  挿設部
４０  挿設部
４１  前面カバー
４２  架設枠
４３  コンセント
４４  架設枠
ＡＣ  空気調和装置
ＥＷ  電源コード
ＦＭ  入換機構
ＧＫ  吸気口
ＨＤ  放香装置
Ｋ  粒状芳香剤
Ｓ１  表示器
Ｓ２  表示器
Ｓ３  表示器
【図１】
0004002282.tif 000002
【図２】
0004002282.tif 000003
【図３】
0004002282.tif 000004
【図４】
0004002282.tif 000005
【図５】
0004002282.tif 000006
【図６】
0004002282.tif 000007
【図７】
0004002282.tif 000008
【図８】
0004002282.tif 000009
【図９】
0004002282.tif 000010
【図１０】
0004002282.tif 000011
【図１１】
0004002282.tif 000012
【図１２】
0004002282.tif 000013